(57)【要約】      （修正有）【課題】身体に対してフィット性を向上させた保温性の良い布団を提供する。【解決手段】布団１０は、表地１５と裏地１６にキルティングが施され、表地１５と裏地１６との間に充填材１７が充填された布団１０であって、第１のキルティング１１により布団１０の幅方向の一方側に形成され、充填材を収容可能な第１の室１１１と、第２のキルティング１２により布団１０の幅方向の他方側に形成され、充填材を収容可能な第２の室１２１とを備え、第１の室１１１及び前記第２の室１２１は、それぞれ、布団１０の長手方向に延び、布団の幅方向の中央から所定の間隔をあけて形成されている。【選択図】図２
0003190285.tif 000002
【実用新案登録請求の範囲】
【請求項１】
表地と裏地にキルティングが施され、前記表地と前記裏地との間に充填材が充填された布団であって、
第１のキルティングにより前記布団の幅方向の一方側に形成され、前記充填材を収容可能な第１の室と、
第２のキルティングにより前記布団の幅方向の他方側に形成され、前記充填材を収容可能な第２の室とを備え、
前記第１の室及び前記第２の室は、それぞれ、前記布団の長手方向に延び、前記布団の幅方向の中央から間隔をあけて形成されている布団。
【請求項２】
格子状の第３のキルティングにより前記第１の室及び前記第２の室との間に形成され、前記充填材を収容可能な複数の第３の室を備える請求項１に記載の布団。
【請求項３】
前記第１のキルティング及び前記第２のキルティングは、前記布団の幅方向の中央に向けて凸に屈曲しており、その屈曲点が前記布団の長手方向の中央を通る線上に位置する請求項１または２に記載の布団。
【請求項４】
前記第１のキルティングは前記布団の幅方向の一方側に向けて凸に屈曲しており、その屈曲点が前記布団の長手方向の中央を通る線上に位置し、
前記第２のキルティングは前記布団の幅方向の他方側に向けて凸に屈曲しており、その屈曲点が前記布団の長手方向の中央を通る線上に位置する請求項１または２に記載の布団。
【請求項５】
前記第３のキルティングは、前記布団の長手方向に延びる長手方向キルティングと、前記布団の幅方向に延びる幅方向キルティングとが格子状に交差したものであり、
前記長手方向キルティングは、前記布団の幅方向の中央に向けて凸に屈曲しており、その屈曲点が前記布団の長手方向の中央を通る線上に位置し、
前記幅方向キルティングは、前記布団の長手方向の中央に向けて凸に屈曲しており、その屈曲点が前記布団の幅方向の中央を通る線上に位置する請求項１〜４のいずれかに記載の布団。
【請求項６】
前記充填材は、長さが３２ｍｍ以下の繊維であって、前記表地と前記裏地の間に吹き込みで充填される請求項１〜５のいずれかに記載の布団。
【考案の詳細な説明】
【技術分野】
【０００１】
本考案は、キルティングが施された布団に関する。
【背景技術】
【０００２】
従来より、表地と裏地の間に充填材が充填された布団が使用されている。図９は敷布団に仰臥した身体に掛け布団が掛けられた状態を示している。この状態では、身体１の上部は掛け布団２と接しているが、身体１の側部側には、掛け布団２と敷布団４の間には隙間３ができる。特に、腰部などの身体の細い部分では大きい隙間ができる。就寝中は、掛け布団２及び敷布団４の内部の空気が身体１の熱により暖められるとともに、このような隙間３にある空気も同時に暖められることにより、掛け布団２と敷布団４の間の暖かさが保たれる。
【考案の概要】
【考案が解決しようとする課題】
【０００３】
しかし、従来の布団においては、寝返りなどで掛け布団２の端が開口した場合には、隙間３にある暖められた空気が布団の外へ逃げてしまい保温性が低いという問題がある。
【０００４】
本考案は、上記した課題に着目してなされたものであり、身体に対してフィット性を向上させた保温性の良い布団を提供することを目的とする。
【課題を解決するための手段】
【０００５】
本考案の上記目的は、表地と裏地にキルティングが施され、前記表地と前記裏地との間に充填材が充填された布団であって、第１のキルティングにより前記布団の幅方向の一方側に形成され、前記充填材を収容可能な第１の室と、第２のキルティングにより前記布団の幅方向の他方側に形成され、前記充填材を収容可能な第２の室とを備え、前記第１の室及び前記第２の室は、それぞれ、前記布団の長手方向に延び、前記布団の幅方向の中央から間隔をあけて形成されている布団により達成される。
【０００６】
前記構成の布団を掛け布団に用いた場合、第１の室と第２の室の間に身体が位置するように布団を身体に掛けると、布団の第１の室と第２の室の間が身体に接して持ち上がると同時に、第１の室と第２の室が身体の側部側に位置する。このとき、第１の室の第１のキルティングと第２の室の第２のキルティングにより布団が折れ曲がる。この折れ曲がりにより、布団は身体の側部に沿ってフィットし、布団と身体の側部との間に隙間ができにくくなるため、保温性を高めることができる。
【０００７】
また、キルティングにより室を形成することで、室を形成せず単にキルティングを施した場合に比べて、布団の折れ曲がりが保たれやすくなり、身体が多少動いた場合であっても身体と布団との間に隙間ができにくくなる。
【０００８】
また、布団に第１の室、第２の室が形成されることにより、充填材が各室から外に移動することを防止することができ、布団の折れ曲がりにより充填材が偏りにくくなる。
【０００９】
また、前記構成の布団を敷布団に用いる場合、第１の室と第２の室に収容される充填材の単位当たりの重量を布団の他の場所よりも大きくすることで、第１の室と第２の室とが布団の他の場所よりも盛り上がる。このような布団に第１の室と第２の室の間に身体が位置するように仰臥すると、第１の室と第２の室が身体の側部側に位置するので、第１の室と第２の室の膨らみが身体の側部に沿ってフィットする。このため、布団と身体との間に隙間ができにくくなり、保温性を高めることができる。
【００１０】
前記布団は、格子状の第３のキルティングにより前記第１の室及び前記第２の室との間に形成され、前記充填材を収容可能な複数の第３の室を備えることが好ましい。
【００１１】
前記構成によれば、第１の室及び第２の室との間に複数の第３の室が形成されているので、充填材が各第３の室内から外に移動するのを防止することができる。このため、第１の室及び第２の室との間で充填材が偏りにくくなる。
【００１２】
前記第１のキルティング及び前記第２のキルティングは、前記布団の幅方向の中央に向けて凸に屈曲しており、その屈曲点が前記布団の長手方向の中央を通る線上に位置することが好ましい。
【００１３】
前記構成によれば、第１のキルティング及び第２のキルティングが、布団の幅方向の中央、すなわち身体に向けて凸に屈曲している。このため、前記構成の布団を掛け布団に用いた場合には、身体に布団が掛けられて布団の第１の室及び第２の室との間が持ち上げられたときに、布団の幅方向の端部から幅方向の中央に向かう方向に引っ張り力が作用し、布団が身体に向けて引き寄せられる。従って、布団を身体の側部に沿ってよりフィットさせることができる。
また、前記構成の布団を敷布団に用いた場合には、第１のキルティング及び第２のキルティングが身体に向けて凸に屈曲しているため、腰部などの身体の細い部分にも第１の室及び第２の室がフィットしやすくなる。
【００１４】
前記第１のキルティングは前記布団の幅方向の一方側に向けて凸に屈曲しており、その屈曲点が前記布団の長手方向の中央を通る線上に位置し、前記第２のキルティングは前記布団の幅方向の他方側に向けて凸に屈曲しており、その屈曲点が前記布団の長手方向の中央を通る線上に位置するものであってもよい。
【００１５】
前記第３のキルティングは、前記布団の長手方向に延びる長手方向キルティングと、前記布団の幅方向に延びる幅方向キルティングとが格子状に交差したものであり、
前記長手方向キルティングは、前記布団の幅方向の中央に向けて凸に屈曲しており、その屈曲点が前記布団の長手方向の中央を通る線上に位置し、
前記幅方向キルティングは、前記布団の長手方向の中央に向けて凸に屈曲しており、その屈曲点が前記布団の幅方向の中央を通る線上に位置することが好ましい。
【００１６】
前記構成によれば、第３のキルティングのうち、長手方向キルティングは布団の幅方向の中央に向けて凸に屈曲し、幅方向キルティングは布団の長手方向の中央に向けて凸に屈曲しているため、身体に布団が掛けられて布団の第１の室及び第２の室との間が持ち上げられたときに、布団の長手方向の中央及び幅方向の中央に向けて引っ張り力が作用するため、布団が身体にフィットしやすくなる。
【００１７】
前記充填材は、長さが３２ｍｍ以下の繊維であって、前記表地と前記裏地の間に吹き込みで充填されることが好ましい。より好ましくは、充填材の繊維の長さは２５ｍｍ以上３２ｍｍ以下である。
【００１８】
前記構成の充填材を用いることで、吹き込み法により充填材を布団に充填することができる。これにより、充填材を各室の隅々まで均一に充填することができる。
【考案の効果】
【００１９】
本考案の布団によれば、本考案の布団を掛け布団に用いる場合には、第１の室と第２の室の間に身体が位置するように布団を身体に掛けると、布団の第１の室と第２の室の間が身体に接して持ち上がると同時に、第１の室と第２の室が身体の側部側に位置する。このとき、第１の室の第１のキルティングと第２の室の第２のキルティングにより布団が折れ曲がる。この折れ曲がりにより、布団は身体の側部に沿ってフィットし、布団と身体の側部との間に隙間ができにくくなるため、保温性を高めることができる。
【００２０】
また、本考案の布団を敷布団に用いる場合には、第１の室と第２の室に収容される充填材の単位当たりの重量を布団の他の場所よりも大きくすることで、第１の室と第２の室とが布団の他の場所よりも盛り上がる。このような布団に第１の室と第２の室の間に身体が位置するように仰臥すると、第１の室と第２の室が身体の側部側に位置するので、第１の室と第２の室の膨らみが身体の側部に沿ってフィットする。このため、布団と身体との間に隙間ができにくくなり、保温性を高めることができる。
【図面の簡単な説明】
【００２１】
【図１】本考案の一実施形態に係る掛け布団の平面図である。
【図２】身体に掛け布団を掛けた場合の説明図である。
【図３】掛け布団の製造方法の説明図である。
【図４】本考案の一実施形態の他の例である。
【図５】本考案の一実施形態の他の例である。
【図６】本考案の一実施形態の他の例である。
【図７】本考案の一実施形態の他の例である。
【図８】本考案の別の実施形態に係る敷布団の断面図である。
【図９】従来の掛け布団の説明図である。
【考案を実施するための形態】
【００２２】
以下、本考案の実施形態について、添付図面を参照しながら説明する。図１は本考案の一実施形態に係る掛け布団１０の平面図、図２は身体２０に掛け布団１０を掛けた場合の説明図である。
掛け布団１０は、図２に示すように、表地１５と裏地１６の間の空間に充填材１７が充填されている。
図１に示すように、第１のキルティング１１により、掛け布団１０の幅方向の一方側に、充填材１７を収容可能な第１の室１１１が形成されており、第１の室１１１は掛け布団１０の長手方向に延びている。第１の室１１１を形成する第１のキルティング１１は、掛け布団１０の幅方向の中央に向けて凸に屈曲する環状を呈しており、その屈曲点Ｃ１が、掛け布団１０の幅方向に延び長手方向の中央を通る線ＬＷ上に位置している。
また、第２のキルティング１２により、掛け布団１０の幅方向の他方側に、充填材１７を収容可能な第２の室１２１が形成されており、第２の室１２１は、第１の室１１１と同様に、掛け布団１０の長手方向に延びている。第２の室１２１を形成する第２のキルティング１２は、掛け布団１０の幅方向の中央に向けて凸に屈曲する環状を呈しており、その屈曲点Ｃ２が、掛け布団１０の幅方向に延び長手方向の中央を通る線ＬＷ上に位置している。
【００２３】
第１の室１１１と第２の室１２１は、掛け布団１０の幅方向の中央から間隔をあけて形成されている。図１のＬ１は、第１の室１１１の掛け布団１０の幅方向の中央に近い屈曲点Ｃ１と掛け布団１０の長手方向に延び幅方向の中央を通る線ＬＬとの間の間隔Ｌ１を示す。図１のＬ２は、第２の室１２１の掛け布団１０の幅方向の中央に近い屈曲点Ｃ２と掛け布団１０の長手方向に延び幅方向の中央を通る線ＬＬとの間の間隔Ｌ２を示す。本実施形態では、間隔Ｌ１，Ｌ２は同じ長さとしており、間隔Ｌ１と間隔Ｌ２とを合計した長さは、掛け布団１０の幅方向の長さの１／３以上２／３以下、より好ましくは１／２としている。例えば、シングルの掛け布団１０の場合、掛け布団１０の幅方向の長さを１５０ｃｍとすると、間隔Ｌ１と間隔Ｌ２とを合計した長さは７５ｃｍである。
【００２４】
第１の室１１１と第２の室１２１の間に身体が位置するように掛け布団１０を身体に掛けると、掛け布団１０の第１の室１１１と第２の室１２１の間が身体２０に接して持ち上がると同時に、第１の室１１１と第２の室１２１が身体の側部側に位置する。このとき、第１の室１１１の第１のキルティング１１と第２の室１２１の第２のキルティング１２により掛け布団１０が折れ曲がる。この折れ曲がりにより、掛け布団１０は身体２０の側部に沿ってフィットし、掛け布団１０と身体２０の側部との間に隙間ができにくくなるため、保温性を高めることができる。
【００２５】
また、第１の室１１１、第２の室１２１を形成することで、室を形成せず単にキルティングを施した場合に比べて、掛け布団１０の折れ曲がりが保たれやすくなり、身体２０が多少動いた場合であっても身体２０と掛け布団１０との間に隙間ができにくくなる。
また、第１の室１１１、第２の室１２１は密閉されているので、充填材１７が第１の室１１１、第２の室１２１から外に移動することがなく、掛け布団１０の折れ曲がりにより充填材が偏ることを防止することができる。
【００２６】
さらに、第１のキルティング１１及び第２のキルティング１２が、掛け布団１０の幅方向の中央、すなわち身体２０に向けて凸に屈曲している。このため、身体２０に掛け布団１０が掛けられて掛け布団１０の第１の室１１１及び第２の室１２１との間が持ち上げられたときに、掛け布団１０の幅方向の端部から幅方向の中央に向かう方向に引っ張り力が作用し、掛け布団１０が身体２０に向けて引き寄せられる。従って、掛け布団１０を身体２０の側部に沿ってよりフィットさせることができる。
【００２７】
また、第１の室１１１及び第２の室１２１との間には、格子状の第３のキルティング１３により充填材１７を収容可能な複数の第３の室１３１が形成されている。
第３のキルティング１３は、掛け布団１０の長手方向に延びる長手方向キルティング１３２と、掛け布団１０の幅方向に延びる幅方向キルティング１３３とが格子状に交差したものである。
長手方向キルティング１３２は、掛け布団１０の幅方向の中央に向けて凸に屈曲しており、その屈曲点Ｃ３２が、掛け布団１０の幅方向に延び長手方向の中央を通る線ＬＷ上に位置している。また、幅方向キルティング１３３は、掛け布団１０の長手方向の中央に向けて凸に屈曲しており、その屈曲点Ｃ３３が、掛け布団１０の長手方向に延び幅方向の中央を通る線ＬＬ上に位置している。
【００２８】
このように、第１の室１１１及び第２の室１２１との間に複数の第３の室１３１が形成されているので、充填材１７が各第３の室１３１内から外に移動することを防止することができる。このため、第１の室１１１及び第２の室１２１との間で充填材が偏りにくくなる。
【００２９】
また、掛け布団１０の幅方向の中央であって、第３の室１３１と掛け布団１０の長手方向の一端及び他端との間に、第４のキルティング１４が施されている。第４のキルティング１４は、掛け布団１０の長手方向の中央に向けて凸に屈曲しており、その屈曲点Ｃ４が、掛け布団１０の長手方向に延び幅方向の中央を通る線ＬＬ上に位置している。
【００３０】
掛け布団１０の長手方向の端部近傍１４１は、掛け布団１０を身体２０に掛けたときに首が接触する。本実施形態では、第４のキルティング１４を施すことで、充填材１７が掛け布団１０の長手方向の端部近傍１４１に移動することを防ぎ、首に接触する掛け布団１０の長手方向の端部近傍１４１の重量が重くならないようにしている。
なお、第４のキルティング１４の端部と掛け布団１０の長手方向の端部と連結を連結し、室を形成してもよい。
【００３１】
充填材１７は、平均長さが２５ｍｍ以上３２ｍｍ以下の繊維である。
第３の室１３１に充填されている充填材１７は、例えば、羽毛、発熱綿、蓄熱綿、遠赤外線系綿などである。掛け布団１０を身体２０に掛けた際に、第３の室１３１は身体２０の上部及び側部と接するため、保温性の高い充填材１７を用いている。
第３の室１３１以外の掛け布団１０の空間に充填されている充填材１７は、例えばポリエステル、アクリル、ポリプロピレンなどの合成繊維である。掛け布団１０を身体２０に掛けた際に、第３の室１３１以外の掛け布団１０の空間は、身体２０の側部の一部と接するか、または敷布団２１（図２）と接するのみであり保温性には影響が少ないため、安価な合成繊維を用いている。
【００３２】
本考案の掛け布団は以下のように製造される。まず、表地１５の側縁と裏地１６の側縁とを縫い合わせるとともに、第１のキルティング１１、第２のキルティング１２、第３のキルティング１３、第４のキルティング１４を施す。
この際、図３に示すように、表地１５の側縁と裏地１６の側縁との縫い合わせは、表地１５と裏地１６の間に充填材を吹き込むための吹込口１９ａが開くように施される。また、第１〜第３のキルティング１１〜１３は、第１の室１１１〜第３の室１３１に充填材１７を吹き込むための吹込口１９ｂ〜１９ｆが開くように施される。
【００３３】
すなわち、第１のキルティング１１では、第１の室１１１の内側と、第１の室１１１の外側とを連通させる吹込口１９ｂが開けられる。第２のキルティング１２では、第２の室１２１の内側と、第１の室１２１の外側とを連通させる吹込口１９ｃが開けられる。第３のキルティング１３では、長手方向に隣り合う２つの第３の室１３１を連通させる吹込口１９ｄや、最も長手方向の一端側にある第３の室１３１とその外側（当該第３の室１３に対して長手方向の一端側の空間）と連通させる吹込口１９ｅや、最も長手方向の他端側にある第３の室１３と、その外側（当該第３の室１３に対して長手方向の他端側の空間）とを連通させる吹込口１９ｆが開けられる。
【００３４】
なお、図３の例と異なり、第３のキルティング１３では、幅方向に隣り合う２つの第３の室１３１を連通させる吹込口や、最も幅方向の一端側にある第３の室１３１と、その外側（当該第３の室１３に対して幅方向の一端側の空間）とを連通させる吹込口や、最も幅方向の他端側にある第３の室１３１と、その外側（当該第３の室１３に対して幅方向の他端側の空間）とを連通させる吹込口が開けられるようにしてもよい。
【００３５】
次に、吹込み法により充填材１７を充填する。充填材吹き込み用のノズルを、表地１５の側縁と裏地１６の側縁に開けられた吹込口１９ａから挿入し、さらに各吹込口１９ｂ〜１９ｆに通して各室１１１、１２１、１３１や表地１５と裏地１６の間の空間に順に配置し、各室や空間に充填材１７を吹き込む。これにより、各室や空間に充填材１７が充填される。
充填材１７の充填後、各吹込口１９ａ〜１９ｆを縫い合わせて閉じる。
【００３６】
図４は図１〜３に示す実施形態の変形例を示す。
図４に示す変形例では、第１のキルティング１１のうち幅方向中央側に位置するキルティングを、第３のキルティング１３の幅方向の一方側の端をなす長手方向キルティング１３２と兼用している。また、第２のキルティング１２のうち幅方向中央側に位置するキルティングを、第３のキルティング１３の幅方向の他方側の端をなす長手方向キルティング１３２と兼用している。その他の構成は図１、２に示す実施形態と同一であるため、図中同一または相当部分には同一符号を付し、説明を省略する。
【００３７】
図５は図１〜３に示す実施形態の他の変形例を示す。
図５の変形例は、図１、２に示す実施形態とは第１のキルティング１１及び第２のキルティング１２の形状が異なっている。
第１のキルティング１１は掛け布団１０の幅方向の一方側に向けて凸に屈曲する環状を呈しており、その屈曲点Ｃ１が掛け布団１０の長手方向の中央を通る線ＬＷ上に位置している。また、第２のキルティング１２は掛け布団１０の幅方向の他方側に向けて凸に屈曲する環状を呈しており、その屈曲点Ｃ２が掛け布団１０の長手方向の中央を通る線ＬＷ上に位置している。
その他の構成は図１、２に示す実施形態と同一であるため、図中同一または相当部分には同一符号を付し、説明を省略する。
【００３８】
図６は図１〜３に示す実施形態の他の変形例を示す。
図６の他の変形例は、第３のキルティング１３の長手方向キルティング１３２と幅方向キルティング１３３がそれぞれ屈曲せず直線であり、格子状に交差している。
その他の構成は図１、２に示す実施形態と同一であるため、図中同一または相当部分には同一符号を付し、説明を省略する。
【００３９】
図７は図１〜３に示す実施形態の他の変形例を示す。
図７の例の布団は、図１〜３に示す実施形態と同様に、ノズルを吹込口１９ａ〜１９ｆに挿入して第１〜第３の室１１１，１２１，１３１、及び表地１５と裏地１６の間の空間に充填材１７を吹き込むことにより製造されている。充填材１７を吹き込んだ後、表地１５の側縁と裏地１６の側縁にある吹込口１９ａのみを縫い合わせ、他の吹込口１９ｂ〜１９ｆは開いたままとしている。
【００４０】
図８は本考案の布団を敷布団２１に用いた例である。
敷布団２１は、図１、２に示す実施形態の構成を備えた表面層２１１と、綿が充填された底面層２１２と、表面層２１１と底面層２１２との間に設けられた綿のシート状の芯材２１３からなる。表面層２１１の第１の室１１１と第２の室１２１に収容される充填材１７の単位当たりの重量を表面層２１１の他の場所よりも大きくすることで、第１の室と第２の室とが表面層２１１の他の場所よりも盛り上がる。
【００４１】
前記構成の敷布団２１によれば、第１の室１１１と第２の室１２１とが敷布団２１の他の場所よりも盛り上がっているので、第１の室１１１と第２の室１２１の間に身体が位置するように敷布団２１に仰臥すると、第１の室１１１と第２の室１２１が身体２０の側部側に位置する。このため、第１の室１１１と第２の室１２１の膨らみが身体２０の側部に沿ってフィットし、敷布団２１と身体２０との間に隙間ができにくくなり、保温性を高めることができる。
また、第１のキルティング１１及び第２のキルティング１２が身体に向けて凸に屈曲しているため、腰部などの身体の細い部分にも第１の室１１１及び第２の室１２１がフィットしやすくなる。
【００４２】
また、身体２０を本考案の敷布団２１に仰臥させて、本考案の掛け布団１０を身体２０に掛けてもよい。このように、本考案の敷布団２１と掛け布団１０とを組み合わせて用いることで、敷布団２１の第１の室１１１と第２の室１２１の膨らみが身体２０の側部に沿ってフィットするとともに、掛け布団１０の第１の室１１１と第２の室１２１の膨らみも身体２０の側部に沿ってフィットする。このため、身体２０と敷布団２１及び掛け布団１０の間に隙間ができにくくなり、保温性をより高めることができる。
【００４３】
以上、本考案の一実施形態について説明したが、本考案は上記実施形態に限定されるものではなく、本考案の趣旨を逸脱しない限りにおいて種々の変更が可能である。
【符号の説明】
【００４４】
１０  掛け布団
１１  第１のキルティング
１１１  第１の室１１１
１２  第２のキルティング
１２１  第２の室
１３  第３のキルティング
１３１  第３の室
１３２  長手方向キルティング
１３３  幅方向キルティング
１４  第４のキルティング
１４１  第３の室と掛け布団の長手方向の一端及び他端の間の空間
１５  表地
１６  裏地
１７  充填材
２０  身体
Ｃ１  第１のキルティングの屈曲点
Ｃ２  第２のキルティングの屈曲点
Ｃ３２  長手方向キルティングの屈曲点
Ｃ３３  幅方向キルティングの屈曲点
Ｃ４  第４のキルティングの屈曲点
ＬＬ  掛け布団の長手方向に延び幅方向の中央を通る線
ＬＷ  掛け布団の幅方向に延び長手方向の中央を通る線
Ｌ１，Ｌ２  第１の室及び第２の室と、掛け布団の幅方向の中央との所定の間隔
【図１】
0003190285.tif 000003
【図２】
0003190285.tif 000004
【図３】
0003190285.tif 000005
【図４】
0003190285.tif 000006
【図５】
0003190285.tif 000007
【図６】
0003190285.tif 000008
【図７】
0003190285.tif 000009
【図８】
0003190285.tif 000010
【図９】
0003190285.tif 000011